(57)【要約】【課題】  高い圧力での使用を可能にし、高い信頼性を得る。【解決手段】  閉鎖装置は、容器のポートと連通している円穴を有するハブを備える。扉がハブの円穴の中で除去可能に位置決めされ、そして固定用リングは、扉を、閉鎖されかつショルダーに当たる周囲の封鎖された位置に動かすためにハブねじとねじ結合される。複数の歯車のような少なくも１個の回転可能なアクチュエーター部材が、固定用リングと組み合って固定用リングを回転させるために回転される。アクチュエーター部材を回転可能に駆動するためにブレーカーバー又はインパクトレンチを使用することができる。【選択図】  図１
2005326006.tif 000002
【特許請求の範囲】
【請求項１】
容器のポートを密閉閉鎖する閉鎖装置であって、
ハブ中心軸線を定めポートと連通するための円穴、ハブに確保されかつほぼハブ中心軸線を中心とするハブねじ、ポートの周りで容器に封着するための直近端部、及び直近端部と軸方向反対側の末端を有するハブ、
ハブの円穴の中で動き得る扉、
扉が着座するためのハブ内のショルダー、
扉がショルダーに着座したとき、扉とハブとの間を周囲で封鎖するシール、
リング中心軸線及びほぼリング中心軸線を中心としたリングねじを有する固定用リングであって、リングねじはハブねじと組み合い可能であり、リング中心軸線を回る固定用のリングの回転の際、扉をショルダーに押し付けた閉鎖位置に動かすために扉に関して回転可能でありかつ扉と軸方向で組み合い得る前記固定用リング、及び
固定用リングと組み合っている少なくも１個の回転可能なアクチュエーター部材であって、アクチュエーター部材の回転が固定用リングを回転させるようにリング中心軸線から間隔を空けられた回転軸線を有する前記アクチュエーター部材
を備えた閉鎖装置。
【請求項２】
リング中心軸線を回って周囲に配列された複数の歯、及び
複数の歯と組み合いかつ少なくも１個の歯車の回転の際に固定用リングを回転させるための少なくも１個の歯車を備えた少なくも１個の回転可能なアクチュエーター部材
を備える請求項１に定められた閉鎖装置。
【請求項３】
リング中心軸線を回って周囲に配列された摩擦面
を更に備え、
回転可能なアクチュエーター部材がリングの摩擦面と摩擦組み合いのための摩擦部材を備える
請求項１に定められた閉鎖装置。
【請求項４】
少なくも１個の回転可能なアクチュエーター部材の１個又はそれ以上が、固定用リングの内向き面の半径方向内側に位置決めされ、かつ扉に回転可能に確保される請求項１に定められた閉鎖装置。
【請求項５】
少なくも１個の回転可能なアクチュエーター部材の１個又はそれ以上が、固定用リングの外向き面の半径方向外側に位置決めされる請求項１に定められた閉鎖装置。
【請求項６】
回転可能なアクチュエーター部材の１個又はそれ以上の回転軸線が、リング中心軸線を横切る請求項１に定められた閉鎖装置。
【請求項７】
回転可能なアクチュエーター部材の１個又はそれ以上の回転軸線が、リング中心軸線と実質的に直角である請求項６に定められた閉鎖装置。
【請求項８】
トルクを受け入れこれを少なくも１個の回転可能なアクチュエーター部材に伝達するために少なくも１個の回転可能なアクチュエーター部材に確保されたソケット部材
を更に備える請求項１に定められた閉鎖装置。
【請求項９】
扉をハブ内に又はハブから選択的に動かすために、扉をハブに確保している可動の取り付け用アーム
を更に備える請求項１に定められた閉鎖装置。
【請求項１０】
リングねじが雄ねじでありかつハブねじが雌ねじである請求項１に定められた閉鎖装置。
【請求項１１】
扉が閉鎖位置にあるとき、固定用リング全体がハブの円穴の中に位置決めされる請求項１０に定められた閉鎖装置。
【請求項１２】
リングねじが雌ねじでありかつハブねじが雄ねじである請求項１に定められた閉鎖装置。
【請求項１３】
リングが円穴の中に伸びることなく扉と組み合うように、扉が閉鎖位置にあるとき、円穴からハブの末端を通過して軸方向で伸びている扉
を更に備える請求項１２に定められた閉鎖装置。
【請求項１４】
ハブの内側壁の半径方向内側でリングに確保されたスリーブであって、扉を閉鎖位置に動かすために円穴の中に伸びている前記スリーブ
を更に備える請求項１２に定められた閉鎖装置。
【請求項１５】
シールが、
扉とショルダーとの間に位置決めされたＯリング又はリップシール
を備える請求項１に定められた閉鎖装置。
【請求項１６】
シールが、扉とショルダーとの間の金属−金属シールを形成する請求項１に定められた閉鎖装置。
【請求項１７】
少なくも１個の回転可能なアクチュエーター部材が扉及びハブの一方により担持される請求項１に定められた閉鎖装置。
【請求項１８】
少なくも１個の回転可能なアクチュエーター部材が、
各が固定用リングと組み合っている複数のアクチュエーター部材
を備える請求項１に定められた閉鎖装置。
【請求項１９】
複数のアクチュエーター部材の各が、
固定用リングを扉に接近して保持するように固定用リングの末端と組み合うための保持器フランジ
を更に備える請求項１８に定められた閉鎖装置。
【請求項２０】
少なくも１個のアクチュエーター部材が、
少なくも３個のアクチュエーター部材
を備える請求項１８に定められた閉鎖装置。
【請求項２１】
容器のポートを密閉閉鎖する方法であって、
ハブ中心軸線を定める円穴、ハブに確保されかつほぼハブ中心軸線を中心とするハブねじ、直近端部、直近端部と軸方向反対側の末端、及び扉が着座するためのハブ内のショルダーを有するハブを準備し、
円穴とポートとが連通するようにポートの周りでハブの直近端部を容器に封着し、
円穴の中で扉を除去可能に位置決めし、
扉との封鎖のために円穴の中にショルダーを設け、
リング中心軸線及びほぼリング中心軸線を中心としたリングねじを有する固定用リングを準備し、
リングねじとハブねじとを組み合わせ、
アクチュエーター部材の回転中心軸線がリング中心軸線から間隔を空けられた状態で、少なくも１個の回転可能なアクチュエーター部材を固定用リングと組み合わせ、
軸方向で扉と組み合って扉をショルダーに当たる閉鎖位置に動かすために固定用リングをリング中心軸線を回って回転させるようにアクチュエーター部材を回転させ、
扉がショルダーに着座したとき扉とハブとの間を封鎖する
ことを含む方法。
【請求項２２】
リング中心軸線を回って周囲に配列された複数の歯を設け、そして
少なくも１個の回転可能なアクチュエーター部材の歯車と複数の歯とを組み合わせ、そして固定用リングを回転させるように歯車を回転させる
ことを更に含む請求項２１に定められた方法。
【請求項２３】
摩擦面をリング中心軸を回って周囲に配列し、そして
少なく１個の回転可能なアクチュエーター部材上の摩擦部材をリングの摩擦面と摩擦的に組み合わせる
ことを更に含む請求項２１に定められた方法。
【請求項２４】
少なく１個の回転可能なアクチュエーター部材を固定用リングの内向き面の半径方向内側に位置決めし、そして
少なく１個の回転可能なアクチュエーター部材を扉に回転可能に確保する
ことを更に含む請求項２１に定められた方法。
【請求項２５】
トルクを受け入れこれを少なくも１個の回転可能なアクチュエーター部材に伝達するために少なくも１個の回転可能なアクチュエーター部材にソケット部材を確保し、そして
ソケット部材にソケットレンチを組み合わせ、かつソケットレンチにより少なくも１個のアクチュエーター部材を回転させる
ことを更に含む請求項２１に定められた方法。
【請求項２６】
可動の取り付け用アームを扉及びハブに確保し、そして
扉をハブの中に又はハブから出すように選択的に動かす
ことを更に含む請求項２１に定められた方法。
【請求項２７】
扉が閉鎖位置にあるとき、固定用リング全体をハブの円穴の中に位置決めする
ことを更に含む請求項２１に定められた方法。
【請求項２８】
扉が閉鎖位置にあるとき、円穴の中に伸びることなくリングが扉と組み合うように円穴からハブの末端を通過して軸方向に伸びている扉
を更に備える請求項２１に定められた方法。
【請求項２９】
ハブの内側壁の半径方向内側でスリーブを固定用リングに確保し、スリーブが扉を閉鎖位置に動かすために円穴の中に伸びる
ことを更に含む請求項２１に定められた方法。
【請求項３０】
少なくも１個の回転可能なアクチュエーター部材に保持器フランジを確保し、そして
固定用リングを扉の近くに保持するために、保持器フランジ及び固定用リングの末端を組み合わせる
ことを更に含む請求項２１に定められた方法。
【発明の詳細な説明】
【技術分野】
【０００１】
本発明は、圧力収容の容器又はパイプラインの内部部分を選択的に閉鎖し密閉する容器又はパイプラインの閉鎖装置に関する。より特別には、本発明は、パイプラインにおけるピッグの発射及び回収システムに使用される形式の閉鎖装置及び加圧された容器のアクセス用ポータルの閉鎖装置に関する。
【背景技術】
【０００２】
閉鎖装置は、圧力収容容器の、その内部へのアクセスを提供するアクセスポートを選択的に閉鎖する。閉鎖装置のよりしばしば使われる用途の一つは、パイプラインにおいて、パイプラインの清掃及び検査に使用される「ピッグ」を発射しかつ回収するためである。歴史的に最も多い作業は３４．４８ＭＰａ（５０００ｐｓｉ）以下の作動圧力を使用した。近年は、石油産業部門がより高圧の閉鎖装置の使用を要求している。
【０００３】
閉鎖装置のデザインは、通常、次の３グループ、即ちねじ式、クランプ式、又は平扉式の一つである。各方式は次の３個の基本的部品を持つ。１）容器又はパイプラインに永久的にかつ密閉して固定されるハブ部分、２）ハブに対する封鎖を提供する扉、及び３）扉のヒンジ又は輸送機構。
【０００４】
ねじ式の閉鎖装置は、操作が煩わしくなる可能性がある。ハブの上にキャップをねじ込むことは直径が大きくなるので困難が大きくなる。寸法のあまり大きくないキャップでもクレーン又はデビッド式のヒンジ機構によりハブに関節式に取り付けられることが普通である。ねじ又はシール面の腐食が作業を困難にし、ひどい場合は不可能にすることもあり得る。しかし、ねじ式の閉鎖装置は、現場における大量の実際の使用により証明されるように簡単かつ安全なデザインを提供するため一般的である。特許文献１はねじ式の閉鎖装置を開け又は閉めるようにこれを回転させるためのチェーンバインダーを有するねじ式閉鎖装置の例を明らかにする。チェーンバインダーは、閉鎖装置を閉じるためにハンマーで叩かねばならない通常のハンマーラグに代わるものである。特許文献２はハンマーラグに代わる別の方法を開示し、これにおいては、閉鎖装置キャップにトルクを加えるために締め付け用の耳が使用される。特許文献３、特許文献４、特許文献５、特許文献６、及び特許文献７は、種々の平形の扉閉鎖装置を明らかにする。ＡＳＭＥでは、「非固定平頭及びカバーの認め得る幾つかの形式（Ｓｏｍｅ  Ａｃｃｅｐｔａｂｌｅ  Ｔｙｐｅｓ  ｏｆ  Ｕｎｓｔａｙｅｄ  Ｆｌａｔ  Ｈｅａｄｓ  ａｎｄ  Ｃｏｖｅｒｓ）を示している図を出版した。これはねじによりハブに固定されかつ扉から構造的に分離した固定用リングを含む概念的閉鎖装置の線図を示している。平扉のものは３形式の最速のアクセスを提供する。しかし、これはその重量が取り付けを難しくし、かつ長期にわたる腐食が操作を妨げる。複雑な封鎖方法も必要である。平扉は、通常、自己ヒンジ式又は持ち上げ式の装置でハブに確保される。
【０００５】
クランプ式閉鎖装置は、２個のフランジを一緒に合わせ、次いで外側の環状固定用リング配列によりこれらの位置を確保することにより機能する。通常、環状の固定用リングは、２個のセグメントで与えられ、これらセグメントはボルト止め式の配列により互いに保持される。概念は単純であるが、この閉鎖装置は重くかつ取り扱い及び封鎖が困難である。扉は、閉鎖装置の永久部分の何かの取り扱い／関節結合が必要であるだけでなく、固定用リング自体も扱いが難しい。かかる器具を固定するには、通常、何かの形の動力付き装置が必要である。大きな一つの阻害は、作業員に明らかでない圧力の存在である。圧力の作動下における破局的な失敗及び扉が開けられた場合は死傷事故が生じた。クランプ式封鎖体が特許文献８に明らかにされる。
【特許文献１】米国特許第６，６８５，３８０号  明細書
【特許文献２】米国特許第６，６６３，１４９号  明細書
【特許文献３】米国特許第６，２８６，５５３号  明細書
【特許文献４】米国特許第３，６６７，６４７号  明細書
【特許文献５】米国特願第２００４−００４０８１−Ａ１号  明細書
【特許文献６】英国特許第２１３２９５６号  明細書
【特許文献７】欧州特許第０１２９３４９号  明細書
【特許文献８】米国特許第６，１２５，８８８号  明細書
【発明の開示】
【発明が解決しようとする課題】
【０００６】
多種の閉鎖装置が使用されているが、これらの幾つかは、もしあれば、石油産業においてよりしばしば要求される高圧で作動するように設計される。従って、より高い圧力及び信頼性の大きい閉鎖装置が望まれる。
【課題を解決するための手段】
【０００７】
好ましい実施例により、容器のポートを密閉閉鎖する閉鎖装置及び方法が明らかにされる。ハブは、ハブ中心軸線を定めかつポートと連通する円穴を持つ。ハブには、一般にハブ中心軸線を中心とするねじが設けられる。ハブの末端とは軸方向反対側にある直近端部がポートの周りで容器に封着される。扉は、ハブの円穴の中で可動であり、かつ円穴の中に緩く位置決めすることができる。扉を着座させるためにハブにショルダーが設けられ、扉がショルダーに着座したとき、扉とハブとの間をシールが周囲で封鎖する。固定用リングは、リング中心軸線及びリング中心軸線を回る一般に同中心のリングねじを持つ。これにより、リングねじは、ハブねじと組み合うことができ、かつ固定用リングをリング中心軸線を回って回転させたとき、扉をショルダーに当たる閉鎖位置に動かせるように扉に関して回転可能でありかつ扉と軸方向で組み合うことができる。歯車又は回転可能な摩擦部材となし得る少なくも１個の回転可能なアクチュエーター部材が固定用リングと組み合い、かつアクチュエータ部材ーは、これが固定用リングを回転させるように、リング中心軸線から間隔を空けられた回転軸線を持つ。
【０００８】
ある実施例においては、複数の歯を、リング中心軸線を回って周囲に配列することができ、更に少なくも１個の回転可能なアクチュエーター部材は、複数の歯と組み合って固定用リングを回転させるための少なくも１個の歯車を備える。別の実施例においては、摩擦面がリング中心軸線を回って周囲に配列され、更に回転可能なアクチュエーター部材は、リングの摩擦面と摩擦で組み合うための摩擦部材を備え、摩擦部材の回転が固定用リングを回転させる。
【０００９】
歯車、摩擦部材、又はその他の回転可能なアクチュエーター部材は、固定用リングの内向き面の半径方向内側に位置決めされ、かつ扉に回転可能に確保されることが好ましい。トルクを受け取りこれを少なくも１個の回転可能なアクチュエーター部材に伝えるために、少なくも１個の回転可能なアクチュエーター部材にソケット部材を固定することが好ましい。
【００１０】
扉をハブ内に動かし又はハブから出すために、扉をハブに確保するための可動の取り付け用アームを設けることができる。
【００１１】
好ましい方法により、ハブの中心軸線を定める円穴、ハブに確保されかつ一般にハブの中心軸線を中心とするハブねじ、直近端部、直近端部と軸方向反対側の末端、及び扉が着座するためのハブ内のショルダーを有するハブが提供される。ハブの直近端部は、円穴とポートとが連通するようにポートの周りで容器に封着される、扉は、円穴の中で扉を除去し得るように位置決めされる。扉との封鎖のために円穴の中にショルダーが設けられる。リング中心軸線、及びリング中心軸線を一般に中心としたリングねじを有する固定用リングがハブねじと組み合わせられる。アクチュエーター部材の回転軸線がリング中心軸線から間隔を空けられた状態で、少なくも１個の回転可能なアクチュエーター部材が固定用リングに組み合わせられる。アクチュエーター部材は、固定用リングが軸方向で扉と組み合いかつ扉をショルダーと当たる閉鎖位置に動かすように、固定用リングをリング中心軸線を回って回転させる。扉とハブとは、扉がショルダーに着座したとき、周囲で封鎖される。
【００１２】
ある実施例においては、摩擦を減らすために、幾つかの運動部品に減摩塗装を行うことができる。
【００１３】
以上は、本発明の一般的理念を与えることを意図したものであり、本発明を完全に定めることも限定することも意図しない。本発明は、以下の説明及び図面を参照し完全に理解されかつより良く認識されるであろう。
【発明を実施するための最良の形態】
【００１４】
図１は、図１０に示された容器７のポート５を密閉閉鎖するための閉鎖装置１０の好ましい実施例を示す。容器７は、パイプライン、静圧容器、又はその他の形式の容器とすることができる。図２−５は、種々の等級の組立体における閉鎖装置１０の種々の構成要素をより詳細に示す切断図である。ハブ１２は円穴１４を有し、この円穴はハブ中心軸線を定めかつポート５と連通する。ハブ１２はポート５にハブ１２をボルト止めするためのフランジ１１を有するが、他の実施例においては、ハブ１２は容器７に溶接又はその他で固定し密閉することができる。一般にハブ中心軸線を中心としたハブねじ１６がハブ１２に設けられる。ポート５の周りで容器７を密閉するために容器に直近端部１８が設けられ、更に直近端部１８の軸方向反対側に末端２０がある。
【００１５】
扉２２がハブ１２の円穴の中で動くことができる。ハブ１２内のショルダー２４に扉２２が着座する。図１−４は、ショルダー２４に対して直接座った扉２２を示し、これは、以下説明されるように、閉鎖位置にあるとき、潜在的に、扉２２とショルダー２４との間の金属−金属の封鎖を提供することができる。より好ましくは、扉２２がショルダー２４に座ったとき、図５に概念的に示されたように、弾性体シール２６が扉２２とハブ１２のショルダー２４との間で周囲の封鎖をする。シール２６は、Ｏリング、リップシール、又は金属−金属封鎖用の金属リングのような本技術において一般に知られる種々の形式のシールの一つとすることができる。更に別の実施例においては、Ｏリング又はその他の形式のシールが、ショルダー２４上における位置決めの必要なしに、扉２２とショルダー２４との間の周囲の封鎖をすることができる。シールは、圧力下で弾性変形又は塑性変形のどちらかをする圧縮シールとすることができる。シールは、Ｕ字形断面が容器内の圧力により開かれて封鎖する一般にＵ字形断面を有するリップシールのように圧力容器７による圧力により活性化させることもできる。弾性シールは、一般に、低圧においてより許されるシールを提供するが、金属シールは柔らかいポリマー混合物を損傷させる可能性のある高圧に対してより適している。
【００１６】
リング中心軸線及び一般にリング中心軸線を中心とするリングねじ３０を有する固定用リング２８が、ハブねじ１６と組み合うことができる。リング中心軸線を回って固定用リング２８を回転させたとき、図４及び５に示されるように扉２２をショルダー２４に押し付けられた閉鎖位置に動かすために、固定用リング２８は、扉２２と相対回転ができかつ扉２２と軸方向で組み合うことができる。
【００１７】
図８は、リング２２がハンドル５０を使用して手動で回される閉鎖装置１０の実施例を示す。これは、より小型及び／又はより低圧の閉鎖装置には適しているが、この方法ではより大きい閉鎖装置を操作するのは困難なことがある。閉鎖装置を確実に閉鎖するため、リング２２は、手によってなし得るよりも、より強く回す必要がある。高い内部圧力、大きい封鎖力、及び時間経過により腐食した部品のような要因が、リング２２を回転させる困難を増大させる。動力付きの工具、又は少なくも単にハンドル５０によるよりもより大きい力を出し得る工具により駆動し得る駆動システムが好ましい。
【００１８】
図１−５の閉鎖装置１０は、好ましい「歯車駆動」の実施例である。複数の歯３４がリング中心軸線を中心として周囲に配列される。少なくも１個の回転可能なアクチュエーター部材、この実施例においては３個の歯車３２が、固定用リング２８の歯３４と組み合う。これら歯車３２は、その回転が固定用リング２８を回転させるようにリング中心軸線から間隔を空けられた回転軸線を持つ。
【００１９】
図９に示された別の「摩擦駆動」の実施例においては、摩擦面１３４がリング中心軸線を中心として周囲に配置される。回転可能なアクチュエーター部材が複数の摩擦部材１３２を備える。これら摩擦部材は、リング２８の摩擦面１３４と摩擦で組み合うための歯のない「歯車」になぞらえられる。摩擦面１３４は剥き出しの金属とすることができるが、摩擦面１３４と摩擦部材１３２との間の摩擦係数を大きくするために粗面又は処理された面であることが好ましい。例えば、摩擦面１３４をローレット掛けし、カーバイド又はダイヤモンド砂を染み込ませ、或いは高摩擦ポリマー材料で被覆することができる。摩擦部材１３２は、リング２８の摩擦面１３４と強制的に組み合わせられ、摩擦面１３４と摩擦部材１３２との間の適切な摩擦力を保持し滑りを防止することが好ましい。
【００２０】
図１に（及び同様に図５に）示されるように、歯車３２は、固定用リング２８の内向き面（この面は図１において歯３４により定められた面）の半径方向内側に位置決めされることが好ましい。歯車３２は、扉２２及びハブ１２の一方により支持され、好ましくは取り付け用ボルト３９、スピンドル、又はその他のハードウエアにより扉２２に回転可能に固定される。歯車３２の取り付けに使用される取り付け用ボルト３９又はその他のハードウエアは、歯車３２の回転を許すが歯車３２の横方向の動きは拘束すべきである。歯車３２は、扉２２に確保されているので、リング２８との確りした係合状態で支持され、滑りの最小な又は滑りなしの信頼し得る回転方向の組み合いを確保することができる。摩擦駆動の実施例においては、摩擦部材１３２とリング２８との間の確実な組み合いが特に重要である。更に、示されたような複数の歯車３２の使用は、リング２８に対する一様な外向きの力を提供して、リング２８の安定化を助けることによりこの支持を増強させる。
【００２１】
図示された幾つかの実施例においては、歯３４は半径方向内側に置かれたが、ある種の実施例は、半径方向外側に置かれた歯車を有し、外側に位置決めされたリングの歯を備えることができる。例えば、図１２において、少なくも１個の回転可能なアクチュエーター部材３３２の１個が、半径方向外側でかつ外向きの面３３３又は固定用リング３２８の歯と組み合って位置決めされる。
【００２２】
更に、図１１に示されるように、１個又はそれ以上の回転可能なアクチュエーター部材３３２の回転軸線がリングの中心軸線を横切ることができる。図１１においては、回転可能なアクチュエーター部材３３２の１個の回転軸線がリングの中心軸線と実質的に直交し、そしてアクチュエーター部材３３２は面３３４又は歯と組み合う。かかる別の実施例においては、回転可能なアクチュエーター部材は、構造３３５に確保される。構造３３５は扉に確保されて示されるが、閉鎖装置の別の部分に確保されるように変更することができる。
【００２３】
歯車３２に及び回転可能な摩擦部材１３２にソケット部材３８が固定される。ソケット部材は、トルクを受け入れ、これを歯車３２及び摩擦部材１３２に伝達する。ソケット部材３８を回転させるためにブレーカバー（図示せず）を組み合っているソケットに取り付けることができる。特に大きくて重い閉鎖装置の場合は、ソケット部材３８を駆動するためにインパクトレンチを使用することもできる。
【００２４】
図１に示されるように、可動の取り付け用アーム４０が扉２２をハブ１２に確保する。アーム４０は，扉２２をハブ１２内に又はハブ１２から選択的に動かし得るように１個又はそれ以上のヒンジ４２を備えることができる。リング２８がハブ１２にねじ結合されかつ扉２２が固定用の位置にあるとき、リング２８とハブ１２とのねじ結合によりリング２８と扉２２とは閉鎖装置１０に保持される。歯車３２（及び図８における摩擦部材１３２）に保持器フランジ３６が固定され、次に閉鎖装置１０を開くときに固定用リング２８を扉２２の付くに保持するように固定用リング２８の末端２９と組み合う。歯車３２は扉２２に回転可能に確保されているので、リング２８は、扉２２とフランジ３６との間に保持される。この保持は、これにより扉２２とリング２８とが取り付け用アーム４０を介して円穴１４の中で定位置に又は定位置からヒンジにより旋回できるため、閉鎖装置１０、特に重い閉鎖装置の操作を容易にするために重要である。
【００２５】
図１の実施例においては、リングねじは雄ねじ３０であり、ハブねじは雌ねじ１６である。固定用リング２８の全体は、扉２２が閉鎖位置にあるとき、ハブ１２の円穴１４内に位置決めされる。対比して、図６及び７は閉鎖装置１０の変更された２種の実施例を示し、これらにおいては、リング１２８、２２８のリングねじは雌ねじ１３０、２３０であり、ハブねじは雄ねじ１１６、２１６である。図６においては、リング１２８は内側の壁１１５の半径方向内向側に伸び、扉１２２は、扉１２２が閉鎖位置にあるとき、リング１２８が円穴１１４内に伸びることなく扉１２２と組み合うように、軸方向で円穴１１４からハブ１２の末端１２０より先に伸びる。図７においては、リング２２８も内側の壁２１５の半径方向内向側に伸びるが、図６の扉１２２とは対照的に扉２２２は、全体が円穴２１４の中に置かれ、かつ内側の壁２１５の半径方向内側でリング２２８に固定されたスリーブ２４５が円穴２１４の中に伸び、扉２２２を閉鎖位置に動かす。
【００２６】
扉２２、１２２、２２２は、平坦な円形板として示される。事実、これは製造の簡単な信頼し得る扉デザインである。例えば、円形板は、鋳造し、鍛造し、又は円形の棒材から切り出すことができる。しかし、実際は、扉は、ハブと周囲でシールされかつリングと組み合うことができる限り、単なる平板である必要はない。代わりに、扉はドーム状、又はある特定のハブと適合する特別な用途のために要求されるその他の形のようなより複雑な形状を取ることができる。ハブ１２のようなハブは、円筒状の管又はパイプから製造できかつ典型的な円形ポート５とうまく組み合う一般的な円形ＯＤ及び円穴１４を持つことが普通である。
【００２７】
摩擦は、摩擦面１３４と摩擦部材１３２との間の摩擦係合を提供するようなある実施例のある部品間では有利であるが、歯車３２のような多くの運動部品は減摩塗料による利益を得ることができる。減摩塗料は本技術において知られる多くの材料を含むことができる。例えば、摩擦を減らしかつ回転の効率を上げるために、歯車３２にポリマー性塗料を与えることができる。
【００２８】
本発明の特別の実施例がここに詳細に説明されたが、これは単に本発明の主な態様の説明の目的で行われたものであり、特許請求の範囲に定められた本発明の範囲を限定することを意図したものではない。本技術の熟練者は、図示され説明された実施例は例示のものであり、本発明の実行の際、本発明の範囲から離れることなく、ここに特別に説明されたこれら設計の変更例を、限定するためではなく含んだ種々のその他の置換、変更及び変化をなし得ることを理解するであろう。
【図面の簡単な説明】
【００２９】
【図１】リングがハブに雌ねじとねじ結合する雄ねじを有し、ねじ付きリングを回転させるために扉に確保された複数の歯車を有する閉鎖装置の好ましい実施例を示す。
【図２】図１のハブの断面図を示す。
【図３】扉がショルダーに押し付けられて着座した状態の図１のハブの断面図を示す。
【図４】ショルダーに対して扉を封鎖するために図１のハブにねじ結合されたリングの断面図を示す。
【図５】複数の歯がリング上に円周状に配列されかつこの歯と複数の歯車とが組み合わされた断面図を示す。
【図６】固定用リングがハブの雄ねじと組み合っている雌ねじを有し、更に閉鎖位置において扉がハブより突き出す別の実施例の断面図を示す。
【図７】固定用リングが円穴内に突き出たスリーブを有し、扉が閉鎖位置にあるとき扉と組み合う別の実施例の断面図を示す。
【図８】ハンドルが固定用ハブに確保された実施例を示す。
【図９】歯車ではなくて摩擦駆動機構を有する実施例を示す。
【図１０】閉鎖装置が確保された容器を示す。
【図１１】回転可能なアクチュエーター要素の一つの回転軸がリング中心軸を実質的に直角に横切る実施例を示す。
【図１２】回転可能なアクチュエーターの一つが固定用リングの外向き面の半径方向外側に置かれた実施例を示す。
【符号の説明】
【００３０】
５  ポート
７  容器
１０  閉鎖装置
１２  ハブ
１４  円穴
１８  直近端部
２０  末端
２２  肩
２４  ショルダー
２８  固定用リング
３０  リングネジ  
【図１】
2005326006.tif 000003
【図２】
2005326006.tif 000004
【図３】
2005326006.tif 000005
【図４】
2005326006.tif 000006
【図５】
2005326006.tif 000007
【図６】
2005326006.tif 000008
【図７】
2005326006.tif 000009
【図８】
2005326006.tif 000010
【図９】
2005326006.tif 000011
【図１０】
2005326006.tif 000012
【図１１】
2005326006.tif 000013
【図１２】
2005326006.tif 000014